(57)【要約】【課題】電気柵の組立を簡略化できる電気柵用導電具を提供する。【解決手段】電気柵用導電具１は、防草シート２と、ネット４を備える。防草シート２は平面形状を有し、かつ、防草シート２には、導電性を有する複数のステンレス線３が取付けられている。ネット４は平面形状を有し、防草シート２に取付けられている。ネット４は、防草シート２に対して略垂直に起立可能である。ネット４だけでは起立した状態を維持できないので、支柱などに支持されて起立した状態を維持する。ネット４には、導電性を有する第１の裸電線５と、導電性を有する第２の裸電線６と、導電性を有する第３の裸電線７と、導電性を有する第４の裸電線８とが取付けられている。第１の裸電線５と第２の裸電線６、第２の裸電線６と第３の裸電線７、第３の裸電線７と第４の裸電線８がそれぞれ導電性を有する上下結線９で電気的に接続されている。【選択図】図１
2018143175.tif 000002
【特許請求の範囲】
【請求項１】
平面形状を有する第１の平面部材と、
平面形状を有し、かつ、前記第１の平面部材に対して、略垂直に起立可能に取付けられており、かつ、導電性を有する導電体が取付けられた第２の平面部材とを備える
電気柵用導電具。
【請求項２】
平面形状を有し、かつ、導電性を有する第１の導電体が取付けられた第１の平面部材と、
平面形状を有し、かつ、前記第１の平面部材に対して、略垂直に起立可能に取付けられており、かつ、導電性を有する第２の導電体が取付けられた第２の平面部材とを備える
電気柵用導電具。
【請求項３】
前記第２の平面部材は、同第２の平面部材が起立したときに前記第１の平面部材に対して略平行に位置し、かつ、線状である複数の横方向線状部材と、該横方向線状部材に対して略垂直に取付けられており、かつ、線状であり、かつ、貫通する貫通孔が形成された複数の縦方向線状部材とを有し、かつ、前記横方向線状部材と前記縦方向線状部材とで囲まれた領域に空間が形成されており、
前記第２の平面部材に取付けられた導電体は線状である
請求項１または請求項２に記載の電気柵用導電具。
【請求項４】
前記第１の平面部材は、植物を通さない構成である
請求項１、請求項２、または請求項３に記載の電気柵用導電具。
【請求項５】
前記第２の平面部材は、一方の面と該面に対向する他方の面との間を貫通する貫通孔が形成されておらず、かつ、光非透過性を有する
請求項１または請求項２に記載の電気柵用導電具。
【請求項６】
前記第１の平面部材と、前記第１の導電体と、前記第２の平面部材と、前記第２の導電体は湾曲可能である
請求項２に記載の電気柵用導電具。
【発明の詳細な説明】
【技術分野】
【０００１】
本発明は電気柵用導電具に関する。詳しくは、電気柵を設置する際に使用される電気柵用導電具に係るものである。
【背景技術】
【０００２】
山間の農業地域では、イノシシや鹿などの野生動物が田畑へ侵入して、農作物を食い荒らしてしまう「食害」が多発している。
そこで、野生動物の田畑への侵入を防止するために、田畑の周囲に防護柵が設置されている。
【０００３】
防護柵としては、フェンスや電気柵が用いられており、田畑への野生動物の侵入を防止する上で一定の成果を上げている。
【０００４】
一般的に電気柵は、田畑の周囲に打設された支柱と、支柱に取付けられた碍子に係止されて張設された複数の裸電線と、裸電線に電圧を印加可能な電源装置とを備える。
ここで、複数の裸電線は並列配置されており、裸電線からなる上下結線で互いに結線されている。
【０００５】
野生動物が、このような電気柵で囲まれた田畑に侵入しようとして、張設された裸電線に接触すると、野生動物には、動物や人間などに衝撃を与えることができるほど大きい電流（衝撃電流）が流れる。
【０００６】
このとき、衝撃電流は、電源装置から裸電線に流れ、上下結線を通ってその他の裸電線にも流れ、この裸電線に接触した鹿などの野生動物の体を流れて地中を通り、電源装置のアース線を流れて再び電源装置へと流れていく。
【０００７】
これによって、野生動物は衝撃を受けて撃退される。
【０００８】
そして、これまでに様々な電気柵が提案されている。例えば、特許文献１には、図４に示すような電気柵が記載されている。
【０００９】
すなわち、特許文献１に記載の電気柵１０１は、線状の裸電線である第１〜５の柵線（１０２Ａ〜１０２Ｅ）を備える。
第１〜５の柵線（１０２Ａ〜１０２Ｅ）は互いに略平行に配置されており、かつ、地面に対して略平行に配置されている。
また、略鉛直方向に隣り合う柵線同士は、導電性を有する上下結線１１７で電気的に接続されている。
【００１０】
また、電気柵１０１は、田畑領域の周囲に、一定の間隔で端部が地中１１６に埋め込まれて立設された複数の導電性の支柱を備える。
【００１１】
また、複数の支柱のうち、第１〜５の柵線（１０２Ａ〜１０２Ｅ）の一端が取付けられた支柱が第１の出入口用支柱１０３である。
また、複数の支柱のうち、第１〜５の柵線（１０２Ａ〜１０２Ｅ）の端部以外の部分が取付けられた支柱が第２の出入口用支柱１０７である。
【００１２】
また、電気柵１０１は、導電性の開閉用支柱１０４を備える。開閉用支柱１０４は、第１の出入口用支柱１０３と第２の出入口用支柱１０７との間に配置されており、かつ、第１〜５の柵線（１０２Ａ〜１０２Ｅ）の他端が取付けられている。
【００１３】
また、第１の出入口用支柱１０３と開閉用支柱１０４は、バインド線１１８で解除可能に互いに結束されている。
【００１４】
また、電気柵１０１は、第５の柵線１０２Ｅと電気的に接続された第１の連結部材１０５を備える。
また、電気柵１０１は、第５の柵線１０２Ｅと電気的に接続された第２の連結部材１０６を備える。
【００１５】
また、電気柵１０１は、電源装置１１５に内蔵された電圧印加回路１０９を備える。また、電圧印加回路１０９は、第２の柵線１０２Ｂと出力線１１２を介して電気的に接続されている。
【先行技術文献】
【特許文献】
【００１６】
【特許文献１】実用新案登録第３２０４４６５号公報
【発明の概要】
【発明が解決しようとする課題】
【００１７】
ところで、前述のように電気柵は田畑の周囲に設置されるものであり、田畑は土壌に形成されるものであるから、雑草も生長する。そして、生長した雑草が第１の柵線に触れると、雑草に衝撃電流が流れ、衝撃電流が地中に漏れてしまう。
【００１８】
衝撃電流が地中に漏れた状態でイノシシなどの野生動物が各柵線に触れても、イノシシなどの野生動物は衝撃を受けないのでイノシシなどの野生動物は退散せずに、電気柵で囲まれた田畑に侵入してしまう。
【００１９】
そこで、除草剤を散布した後に電気柵を設置するか、あるいは雑草などの植物を通さないと共に裸電線が取付けられたシートを敷き、このシートの上に支柱を立設して複数の裸電線を張設する必要があった。
【００２０】
しかし、支柱に複数の裸電線を張設するためには、支柱に碍子を取付ける作業や裸電線を碍子に取付ける作業が必要であり、電気柵の組立を簡略化できる技術が求められていた。
【００２１】
本発明は、以上の点に鑑みて創案されたものであり、電気柵の組立を簡略化できる電気柵用導電具を提供することを目的とする。
【課題を解決するための手段】
【００２２】
上記の目的を達成するために、本発明の電気柵用導電具は、平面形状を有する第１の平面部材と、平面形状を有し、かつ、前記第１の平面部材に対して、略垂直に起立可能に取付けられており、かつ、導電性を有する導電体が取付けられた第２の平面部材とを備える。
【００２３】
ここで、平面形状を有し、かつ、前記第１の平面部材に対して、略垂直に起立可能に取付けられており、かつ、導電性を有する導電体が取付けられた第２の平面部材によって、第２の平面部材を起立させるだけで、電気柵に必要な部材のうち、支柱と、第２の平面部材に支柱を取付ける器具と、電源装置以外の部材を組立てることができる。
【００２４】
また、第１の平面部材に対して、略垂直に起立可能に取付けられた第２の平面部材によって、本発明の電気柵用導電具で囲まれた領域内すなわち第２の平面部材で囲まれた領域内に、野生動物が第２の平面部材を通り抜けて侵入し難い。
【００２５】
また、平面形状を有する第１の平面部材によって、第２の平面部材を安定して立設させることができる。
【００２６】
また、上記の目的を達成するために、本発明の電気柵用導電具は、平面形状を有し、かつ、導電性を有する第１の導電体が取付けられた第１の平面部材と、平面形状を有し、かつ、前記第１の平面部材に対して、略垂直に起立可能に取付けられており、かつ、導電性を有する第２の導電体が取付けられた第２の平面部材とを備える。
【００２７】
ここで、平面形状を有し、かつ、第１の平面部材に対して、略垂直に起立可能に取付けられており、かつ、導電性を有する第２の導電体が取付けられた第２の平面部材によって、第２の平面部材を起立させるだけで、電気柵に必要な部材のうち、支柱と、第２の平面部材に支柱を取付ける器具と、電源装置以外の部材を組立てることができる。
【００２８】
また、第１の平面部材に対して、略垂直に起立可能に取付けられた第２の平面部材によって、本発明の電気柵用導電具で囲まれた領域内すなわち第２の平面部材で囲まれた領域内に、野生動物が第２の平面部材を通り抜けて侵入し難い。
【００２９】
また、平面形状を有する第１の平面部材によって、第２の平面部材を安定して立設させることができる。
【００３０】
また、第１の導電体が取付けられた第１の平面部材と第２の導電体が取付けられた第２の平面部材とによって、野生動物が第１の導電体と第２の導電体の両方に接触して野生動物に電気を通し易くすることができる。
【００３１】
また、本発明の電気柵用導電具において、第２の平面部材は、第２の平面部材が起立したときに第１の平面部材に対して略平行に位置し、かつ、線状である複数の横方向線状部材と、横方向線状部材に対して略垂直に取付けられており、かつ、線状であり、かつ、貫通する貫通孔が形成された複数の縦方向線状部材とを有し、かつ、横方向線状部材と縦方向線状部材とで囲まれた領域に空間が形成されており、第２の平面部材に取付けられた導電体は線状である構成とすることができる。
【００３２】
この場合、簡単に第２の平面部材に導電体を取付けることができる。
また、強い風が第２の平面部材に当たっても、風が空間を通り抜けていくので第２の平面部材が倒れ難い。
【００３３】
さらに、本発明の電気柵用導電具において、第１の平面部材が、植物を通さない構成である場合、第１の平面部材が配置された範囲の植物の生長を抑えることができるので、本発明の電気柵用導電具を用いて電気柵を組立てる前に植物を刈る作業を不要にすることができるか、または作業負担を大幅に低減することができる。
【００３４】
また、本発明の電気柵用導電具において、第２の平面部材は、一方の面とこの面に対向する他方の面との間を貫通する貫通孔が形成されておらず、かつ、光非透過性を有する構成とすることができる。
【００３５】
この場合、野生動物は、本発明の電気柵用導電具で囲まれた領域を、第２の平面部材を通して見ることができないので心理的な不安を感じて、本発明の電気柵用導電具で囲まれた領域、例えば田畑に野生動物を近づけ難くすることができる。
【００３６】
また、通常の網目よりも小さい生物が、第２の平面部材を通って本発明の電気柵用導電具で囲まれた領域に侵入することも防止することができる。
【００３７】
また、本発明の電気柵用導電具において、第１の平面部材と、第１の導電体と、第２の平面部材と、第２の導電体は湾曲可能である構成とすることができる。
【００３８】
この場合、本発明の電気柵用導電具を反物状に巻いて持ち運ぶことができる。
【発明の効果】
【００３９】
本発明に係る電気柵用導電具は、電気柵の組立を簡略化できる。
【図面の簡単な説明】
【００４０】
【図１】本発明を適用した電気柵用導電具の一例を示す概略図である。
【図２】本発明を適用した電気柵用導電具が備えるネットの一部を拡大して示した概略拡大図である。
【図３】本発明を適用した電気柵用導電具を用いて組立てられた電気柵の一例を示す概略図である。
【図４】従来の電気柵を示す概略図である。
【発明を実施するための形態】
【００４１】
以下、本発明の実施の形態について図面を参照しながら説明し、本発明の理解に供する。
図１は、本発明を適用した電気柵用導電具の一例を示す概略図である。また、図２は、本発明を適用した電気柵用導電具が備えるネットの一部を拡大して示した概略拡大図である。
【００４２】
図１に示す本発明の電気柵用導電具１は、防草シート２を備える。
ここで、防草シート２は平面形状を有し、かつ、防草シート２には、導電性を有する複数のステンレス線３が取付けられている。
また、防草シートは第１の平面部材の一例であり、ステンレス線は第１の導電体の一例である。
【００４３】
図１では、第１の導電体の一例として線状のステンレス線を示しているが、導電性を有し、かつ、防草シートすなわち第１の平面部材が湾曲できる程度に湾曲するものであれば、例えば板状のステンレス板を用いることもできる。
【００４４】
また、防草シート２は、雑草など植物を通さない構成である。
防草シート２は、具体的には例えば、耐候性ポリプロピレンから成る帯体が縦横に織り込まれて形成されたものであり、雑草など植物を通さないよう帯体同士の隙間はほとんどない。
【００４５】
また、ステンレス線３は、耐候性ポリプロピレンから成る帯体と同時に織り込まれており、防草シート２の表面と裏面の両方に交互に表出するよう織り込まれている。
【００４６】
また、防草シートすなわち第１の平面部材は、必ずしも帯体が織り込まれて形成されたものでなくてもよく、例えばフィルムシートが積層して形成されたものでもよい。
この場合、ステンレス線すなわち線状の第１の導電体は、第１の平面部材の表面上と裏面上に取付けられており、表面上の第１の導電体と裏面上の第１の導電体は電気的に接続されている。
【００４７】
また、本発明の電気柵用導電具１は、ネット４を備える。
ここで、ネット４は平面形状を有する。
また、ネット４は、防草シート２に取付けられている。
また、ネット４は、防草シート２に対して略垂直に起立可能であり、図１は、ネット４が防草シート２に対して略垂直に起立した状態を示している。
【００４８】
すなわち、本発明の電気柵用導電具１を、例えば持ち運んだり保管したりする場合には、ネット４は防草シート２の上に倒された状態であり、電気柵を設置する場合にネット４は起立される。
なお、ネット４だけでは起立した状態を維持できないので、支柱などに支持されて起立した状態を維持する。
【００４９】
また、ネット４は、防草シート２との間に隙間を生じさせることなく防草シート２に取付けられている。
従って、ネットと防草シートとが別体である場合には、ネットと防草シートとの間に隙間が生じ、この隙間を通ってイノシシなどの野生動物が、ネットと防草シートに囲まれた領域例えば田畑へ侵入して食害が発生してしまう可能性があるが、本発明の電気柵用導電具１は、ネット４が防草シート２との間に隙間を生じさせることなく防草シート２に取付けられているので、このような食害が発生することはない。
【００５０】
また、ネット４には、導電性を有する第１の裸電線５と、導電性を有する第２の裸電線６と、導電性を有する第３の裸電線７と、導電性を有する第４の裸電線８とが取付けられている。
【００５１】
また、第１の裸電線５と、第２の裸電線６と、第３の裸電線７と、第４の裸電線８は互いに略平行に配置されている。
【００５２】
また、第１の裸電線５と、第２の裸電線６と、第３の裸電線７と、第４の裸電線８は、ネット４が防草シート２に対して略垂直に起立した状態において、防草シート２に対して略平行に配置されている。
【００５３】
また、第１の裸電線５は、ネット４が防草シート２に対して略垂直に起立した状態において、第１〜４の裸電線（５〜８）の中で最も防草シート２に近い位置に配置されている。
また、第２の裸電線６は、ネット４が防草シート２に対して略垂直に起立した状態において、第１の裸電線５の略鉛直方向上側に配置されている。
また、第３の裸電線７は、ネット４が防草シート２に対して略垂直に起立した状態において、第２の裸電線６の略鉛直方向上側に配置されている。
また、第４の裸電線８は、ネット４が防草シート２に対して略垂直に起立した状態において、第３の裸電線７の略鉛直方向上側に配置されている。
【００５４】
また、第１の裸電線５と第２の裸電線６とが、導電性を有する上下結線９で電気的に接続されている。
また、第２の裸電線６と第３の裸電線７とが、上下結線９で電気的に接続されている。
また、第３の裸電線７と第４の裸電線８とが、上下結線９で電気的に接続されている。
【００５５】
また、ネットは第２の平面部材の一例であり、第１〜４の裸電線は線状の第２の導電体の一例である。
【００５６】
また、図１に示すように、第１〜４の裸電線（５〜８）がそれぞれ延びる方向と、防草シート２のステンレス線３が延びる方向は略同じである。
【００５７】
また、ネット４は、線状である複数の横方向線状部材４１を有する。
ここで、横方向線状部材４１は、ネット４が起立したときに防草シート２に対して略平行に位置する。
【００５８】
また、図示していないが、横方向線状部材４１は複数の樹脂製の糸例えばナイロン製の糸もしくはポリエチレン製の糸が撚られて形成されている。
【００５９】
また、ネット４は、線状である複数の縦方向線状部材４２を有する。
ここで、縦方向線状部材４２は、横方向線状部材４１に対して略垂直に取付けられており、かつ、貫通する貫通孔が形成されている。
【００６０】
また、図２に示すように、縦方向線状部材４２は、具体的には例えば、第１の縦線体４２Ａと、第２の縦線体４２Ｂと、第３の縦線体４２Ｃと、第４の縦線体４２Ｄとで形成されている。
また、第１の縦線体４２Ａと、第２の縦線体４２Ｂと、第３の縦線体４２Ｃと、第４の縦線体４２Ｄは、横方向線状部材４１を構成する複数の樹脂製の糸が、横方向線状部材４１に対して略垂直な方向へも延びたものである。
【００６１】
また、このように縦方向線状部材４２は、互いに同じ方向すなわち横方向線状部材４１に対して略垂直な方向へ延びた複数の縦線体で形成されているので、図２に示すように縦線体と縦線体との間に空間すなわち貫通する貫通孔４２Ｅが形成されている。
【００６２】
また、図２に示すように、横方向線状部材４１と縦方向線状部材４２とで囲まれた領域に、空間すなわち網目１０が形成されている。
【００６３】
また、図２に示された第１の裸電線５は、複数の絶縁性の糸すなわちポリエステル製の糸が撚られて形成された絶縁撚紐５Ａと、絶縁撚紐５Ａに織り込まれたステンレス線５Ｂとで形成されている。
ここで、ステンレス線５Ｂは、絶縁撚紐５Ａに織り込まれているので、ステンレス線５Ｂの表出した部分と隠れた部分とが存在している。
【００６４】
また、図２に示すように、上下結線９は第１の裸電線５に結び付けられており、上下結線９と第１の裸電線５との接続箇所に結び目１１が形成されている。
【００６５】
また、上下結線９は、第１の裸電線５と同様に、複数の絶縁性の糸すなわちポリエステル製の糸が撚られて形成された絶縁撚紐９Ａと、絶縁撚紐９Ａに織り込まれたステンレス線９Ｂとで形成されている。
ここで、ステンレス線９Ｂは、絶縁撚紐９Ａに織り込まれているので、ステンレス線９Ｂの表出した部分と隠れた部分とが存在している。
【００６６】
また、第１の裸電線５の表出したステンレス線５Ｂと、上下結線９のステンレス線９Ｂとが接触しているので、第１の裸電線５と上下結線９は電気的に接続している。
【００６７】
また、第１の裸電線５は、縦方向線状部材４２に形成された貫通孔４２Ｅに挿通されてネット４に取付けられている。
【００６８】
図示していないが、第２の裸電線６と第３の裸電線７と第４の裸電線８も、第１の裸電線５と同様の構成を有しており、第１の裸電線５と同様に縦方向線状部材４２に形成された貫通孔４２Ｅに挿通されてネット４に取付けられている。
【００６９】
また、防草シート２と、ステンレス線３と、ネット４と、第１〜４の裸電線（５〜８）は湾曲可能である。
【００７０】
防草シートすなわち第１の平面部材に、ステンレス線すなわち第１の導電体が取付けられた例を説明したが、必ずしも第１の平面部材に第１の導電体が取付けられていなくてもよい。
【００７１】
しかし、ネットすなわち第２の平面部材に第２の導電体が取付けられており、第１の平面部材に第１の導電体が取付けられていれば、第１の平面部材に第１の導電体が取付けられていない場合に比べて、野生動物が第１の導電体と第２の導電体の両方に接触して野生動物に電気を通し易くすることができるので好ましい。
【００７２】
また、本発明の電気柵用導電具において、ネットすなわち第２の平面部材は、必ずしも横方向線状部材と縦方向線状部材とを有していなくてもよく、また、必ずしも横方向線状部材と縦方向線状部材とで囲まれた領域に網目すなわち空間が形成されていなくてもよい。
また、必ずしも第２の導電体は線状でなくてもよい。
【００７３】
しかし、第２の平面部材が横方向線状部材と縦方向線状部材とを有しており、かつ、横方向線状部材と縦方向線状部材とで囲まれた領域に空間が形成されており、第２の導電体が線状であれば、第２の導電体を縦方向線状部材に形成された貫通孔に挿通して簡単に第２の導電体を取付けることができるので好ましい。
【００７４】
また、このような構成であれば、強い風が第２の平面部材に当たっても、風が空間を通り抜けていくので第２の平面部材が倒れ難い。
また、このような構成であれば、径が大きい線状の第２の導電体を第２の平面部材に取付けることが可能である。
【００７５】
一方、本発明の電気柵用導電具において、第２の平面部材は、一方の面と、この面に対向する他方の面との間を貫通する貫通孔が形成されておらず、かつ、光非透過性を有する構成とすることができる。
【００７６】
この場合、イノシシなどの野生動物は、本発明の電気柵用導電具で囲まれた領域を、第２の平面部材を通して見ることができないので心理的な不安を感じて、本発明の電気柵用導電具で囲まれた領域例えば田畑に野生動物を近づけ難くすることができる。
さらに、貫通孔が全く形成されていないので、通常の網目よりも小さい生物が、第２の平面部材を通って本発明の電気柵用導電具で囲まれた領域に侵入することも防止することができる。
【００７７】
また、本発明の電気柵用導電具において、防草シートすなわち第１の平面部材は、必ずしも植物を通さない構成でなくてもよい。すなわち、第１の平面部材は、植物を通す構成とすることもできる。
【００７８】
しかし、第１の平面部材が植物を通さない構成であれば、第１の平面部材が配置された範囲の植物の生長を抑えることができるので、本発明の電気柵用導電具を用いて電気柵を組立てる前に植物を刈る作業を不要にすることができるか、または作業負担を大幅に低減することができ、好ましい。
【００７９】
また、本発明の電気柵用導電具において、防草シートすなわち第１の平面部材と、ステンレス線すなわち第１の導電体と、ネットすなわち第２の平面部材と、第１〜４の裸電線すなわち第２の導電体は、必ずしも湾曲可能でなくてもよい。
【００８０】
しかし、第１の平面部材と、第１の導電体と、第２の平面部材と、第２の導電体が湾曲可能であれば、本発明の電気柵用導電具を反物状に巻いて持ち運ぶことができるので好ましい。
また、当然ながら、第１の平面部材に第１の導電体が取付けられていない場合でも、第１の平面部材と、第２の平面部材と、第２の平面部材に取付けられた導電体を湾曲可能とすることができる。
【００８１】
図３は、本発明を適用した電気柵用導電具を用いて組立てられた電気柵の一例を示す概略図である。
【００８２】
図３に示す電気柵１Ａは、絶縁性を有する絶縁支柱１２と、第１〜４の裸電線（５〜８）に所定の電圧例えば約８，０００Ｖの電圧を印加可能な電気柵用電源装置１５とを備える。
【００８３】
すなわち、絶縁支柱１２は、本発明の電気柵用導電具１の、防草シート２に対して略垂直に起立したネット４に、ネット取付具１３を用いて取付けられている。
【００８４】
また、本発明の電気柵用導電具１の防草シート２は、防草シート押さえ杭１４で地面２１に押さえ付けられて地面２１に固定されている。
【００８５】
また、図示していないが電気柵用電源装置１５には電圧印加回路が内蔵されている。
また、電圧印加回路は、電気柵用電源装置１５の出力端子１６と電気的に接続されている。
【００８６】
また、出力端子１６には出力線１８の一端が電気的に接続されており、出力線１８の他端は第４の裸電線８と電気的に接続されている。
すなわち、電圧印加回路は、第４の裸電線８と出力線１８を介して電気的に接続されている。
【００８７】
また、電圧印加回路は、第１〜４の裸電線（５〜８）に所定の電圧例えば約８，０００Ｖの電圧を印加可能である。
【００８８】
また、電気柵用電源装置１５のアース端子１７には、アース線１９の一端が電気的に接続されており、アース線１９の他端にはアース棒２０が電気的に接続されている。
また、アース棒２０は地中に埋められている。
【００８９】
電気柵１Ａを設置する手順の一例を説明する。
設置場所の下草が多く、安定して本発明の電気柵用導電具１を配置できない場合は下草を刈る。
【００９０】
次に、本発明の電気柵用導電具１を適宜伸ばしながら設置場所に配置する。
そして、絶縁支柱１２を、ネット４が防草シート２に取付けられている箇所付近に立設し、ネット４を起立させてネット４の上縁と絶縁支柱１２の上側とを、ネット取付具１３で固定する。
【００９１】
さらに、本発明の電気柵用導電具１の防草シート２の両側の縁に沿って、約１メートルごとに防草シート押さえ杭１４を打ち込む。
【００９２】
また、電気柵用電源装置１５の出力端子１６に一端が接続された出力線１８の他端を、第４の裸電線８と接続する。
また、電気柵用電源装置１５のアース端子１７に一端が接続されたアース線１９の他端に接続されたアース棒２０を地中に埋め込む。
【００９３】
また、図３に示す電気柵１Ａには、矢印が示す方向へ衝撃電流が流れている。
すなわち、衝撃電流は、電気柵用電源装置１５の出力端子１６から出力線１８を通って第４の裸電線８へ流れている。
【００９４】
また、第３の裸電線７と第４の裸電線８、第２の裸電線６と第３の裸電線７、並びに第１の裸電線５と第２の裸電線６がそれぞれ上下結線９で電気的に接続されているので、第４の裸電線８へ流れた衝撃電流は、上下結線９を通って、第３の裸電線７と、第２の裸電線６と、第１の裸電線５とへ流れている。
【００９５】
従って、イノシシなどの野生動物が、第１〜４の裸電線（５〜８）の中の少なくとも１つに接触すると、そのときの野生動物の後足は防草シート２のステンレス線３にも接触しているので、衝撃電流は野生動物の体を流れて地中を通り、電気柵用電源装置１５のアース線１９を流れて再び電気柵用電源装置１５へと流れていく。
【００９６】
これによって、野生動物は衝撃を受けて撃退される。
【００９７】
以上のように、本発明の電気柵用導電具は、ネットすなわち第２の平面部材を備えており、第２の平面部材は平面形状を有し、かつ、防草シートすなわち第１の平面部材に対して、略垂直に起立可能に取付けられており、かつ、導電性を有する第１〜４の裸電線すなわち第２の導電体が取付けられているので、第２の平面部材を起立させるだけで、電気柵に必要な部材のうち、支柱と、第２の平面部材に支柱を取付ける器具と、電源装置以外の部材を組立てることができる。
【００９８】
また、本発明の電気柵用導電具は、平面形状を有する第１の平面部材を備えているので、第２の平面部材を安定して立設させることができる。
【００９９】
また、本発明の電気柵用導電具は、第１の導電体が取付けられた第１の平面部材と第２の導電体が取付けられた第２の平面部材を備えているので、野生動物が第１の導電体と第２の導電体の両方に接触して野生動物に電気を通し易くすることができる。
【０１００】
従って、本発明の電気柵用導電具は、電気柵の組立を簡略化できる。
【０１０１】
また、本発明の電気柵用導電具は、第１の平面部材に対して、略垂直に起立可能に取付けられた第２の平面部材を備えているので、本発明の電気柵用導電具で囲まれた領域内すなわち第２の平面部材で囲まれた領域内に、野生動物が第２の平面部材を通り抜けて侵入し難い。
【０１０２】
また、本発明の電気柵用導電具の第２の平面部材は、複数の横方向線状部材と、貫通する貫通孔が形成された複数の縦方向線状部材とを有しており、第２の導電体は線状であるので、第２の導電体を縦方向線状部材に形成された貫通孔に挿通して簡単に第２の導電体を取付けることができる。
また、径が大きい第２の導電体を取付けることができる。
【０１０３】
また、第２の導電体の径が大きいので、第２の導電体の耐久性を向上させることができると共に、複数の第２の導電体同士を、紐を結ぶ要領で結線することができる。
【符号の説明】
【０１０４】
１    電気柵用導電具
１Ａ  電気柵
２    防草シート
３    ステンレス線
４    ネット
４１    横方向線状部材
４２    縦方向線状部材
４２Ａ  第１の縦線体
４２Ｂ  第２の縦線体
４２Ｃ  第３の縦線体
４２Ｄ  第４の縦線体
４２Ｅ  貫通孔
５    第１の裸電線
５Ａ  絶縁撚紐
５Ｂ  ステンレス線
６    第２の裸電線
７    第３の裸電線
８    第４の裸電線
９    上下結線
９Ａ  絶縁撚紐
９Ｂ  ステンレス線
１０    網目
１１    結び目
１２    絶縁支柱
１３    ネット取付具
１４    防草シート押さえ杭
１５    電気柵用電源装置
１６    出力端子
１７    アース端子
１８    出力線
１９    アース線
２０    アース棒
２１    地面
【図１】
2018143175.tif 000003
【図２】
2018143175.tif 000004
【図３】
2018143175.tif 000005
【図４】
2018143175.tif 000006